(57)【特許請求の範囲】
【請求項１】
帯電体に軟Ｘ線を照射する軟Ｘ線照射部を有する軟Ｘ線照射装置を備え、前記軟Ｘ線により生成された正，負のガスイオンによって該帯電体に帯電した電荷を中和するようにした除電装置において、
前記軟Ｘ線照射部を覆うようなガスの流れを形成するガス流形成手段を備え、
該ガス流形成手段は、前記軟Ｘ線照射装置の周囲に設けられたガス流通路と、該ガス流通路に強制的にガスを供給するガス供給手段とを備え、
該ガス流通路は、前記ガス供給手段によって供給されたガスが前記軟Ｘ線照射部を覆って流れ込むように形成され、
該軟Ｘ線照射部の前方には、該軟Ｘ線照射部に流れ込んだガスが前記軟Ｘ線照射部から照射される軟Ｘ線の照射方向に向けて噴出されるガス噴出口が該ガス流通路に連通して形成されていることを特徴とする軟Ｘ線を利用した除電装置。
【請求項２】
前記ガス流通路と前記ガス供給手段との間には、フィルタが介在されていることを特徴とする請求項１記載の軟Ｘ線を利用した除電装置。
【請求項３】
前記ガス供給手段によって前記ガス流通路に供給されるガスが圧縮ガスであることを特徴とする請求項２記載の軟Ｘ線を利用した除電装置。
【請求項４】
前記ガス流通路の内部圧力を検知する圧力検知手段と、該圧力検知手段により検知される前記ガス流通路の内部圧力が所定値より低下した時、前記軟Ｘ線照射装置への通電を停止する通電停止手段とを備えたことを特徴とする請求項１〜３のいずれか一項に記載の軟Ｘ線を利用した除電装置。
【請求項５】
前記ガス噴出口の開口面積を調整する開口面積調整手段と、該ガス噴出口の開口面積に応じて前記ガス供給手段による前記ガス流通路へのガス供給量を調整するガス供給量調整手段とを備えたことを特徴とする請求項１〜４のいずれか一項に記載の軟Ｘ線を利用した除電装置。
【請求項６】
前記ガス噴出口の開口面積を検知する開口面積検知手段を備え、前記ガス供給量調整手段は、該開口面積検知手段により検知される前記ガス噴出口の開口面積に応じて前記ガス供給手段によるガス流通路へのガス供給量を制御することを特徴とする請求項５記載の軟Ｘ線を利用した除電装置。
【請求項７】
前記ガス噴出口から噴出されるガスの噴出方向を変化させる噴出方向可変手段を備えたことを特徴とする請求項１〜４のいずれか一項に記載の軟Ｘ線を利用した除電装置。
【請求項８】
前記噴出方向可変手段は、ガスの噴出方向を該噴出方向に対して直交する方向に変化させることを特徴とする請求項７記載の軟Ｘ線を利用した除電装置。
【請求項９】
前記噴出方向可変手段は、ガスの噴出方向を該噴出方向に対して直交する方向に変化させつつ前記ガス噴出口を周方向に回動させることを特徴とする請求項７記載の軟Ｘ線を利用した除電装置。
【請求項１０】
前記帯電体の表面の複数の箇所に配置されて該帯電体の表面電位を検知する表面電位検知手段と、該表面電位検知手段により検知される帯電体の表面電位に応じて前記噴出方向可変手段を制御する噴出方向制御手段とを備え、該噴出方向制御手段は、前記複数の表面電位検知手段の内で最も高い表面電位が検知された前記帯電体の表面に向けてガスが噴出されるように前記噴出方向可変手段を制御することを特徴とする請求項７〜９のいずれか一項に記載の軟Ｘ線を利用した除電装置。
【発明の詳細な説明】
【０００１】
【産業上の利用分野】
本発明は、プラスチック、セラミックス、金属等に帯電した静電気を軟Ｘ線を利用して除電する装置に関する。
【０００２】
【従来の技術】
プラスチック、セラミックス、金属等に帯電した静電気を除電する装置としては、コロナ放電式の除電装置が知られている。かかる除電装置では、放電電極に電圧を印加することによって該放電電極に正，負の空気イオンを生成し、生成された空気イオンを送風ファン等を用いて帯電体に向けて吹き付けることにより該帯電体の電荷を中和するようにしたものである。
【０００３】
ところが、このようなコロナ放電式の除電装置においては、帯電体が放電電極から離れた位置にあると、放電電極で生成された空気イオンが帯電体まで十分に届かず、除電効果が極端に低くなってしまうという不都合があった。
【０００４】
このような不都合を解消するために、軟Ｘ線の空気イオン化能力を利用した除電装置が提案されている。かかる除電装置は軟Ｘ線照射装置を備えたもので、該装置の軟Ｘ線照射部から帯電体に向けて軟Ｘ線を照射することにより、該軟Ｘ線が帯電体に到達した位置で該軟Ｘ線による空気イオンの生成がなされ、該空気イオンによって帯電体の電荷を中和するようにしたものである。
【０００５】
かかる除電装置においては、軟Ｘ線が帯電体に到達した位置で空気イオンが生成されるため、帯電体が軟Ｘ線照射部から離れた位置にあっても良好な除電効果を得ることができる。
【０００６】
しかしながら、このように軟Ｘ線を利用した除電装置においては、放射線源による汚染を防止する等の理由から非常に弱いＸ線が用いられるため、前記軟Ｘ線照射部に空気中の塵埃等が付着して汚れてくると、この汚れによって軟Ｘ線の大部分が吸収されてしまい、除電に有効に利用できる軟Ｘ線量が減少して除電性能が低下するという不都合があった。また、上述した空気イオンは帯電体と軟Ｘ線照射部との間で生成されるが、該帯電体の除電に関与するのは主に軟Ｘ線により帯電体近傍で生成される空気イオンであるため、該帯電体の手前側の空間で生成された空気イオンを有効に利用することができないという不都合があった。
【０００７】
【発明が解決しようとする課題】
本発明はかかる不都合を解消するためになされたものであり、軟Ｘ線照射部の汚れによる軟Ｘ線量の減少を良好に防止して除電性能を高めることができる軟Ｘ線を利用した除電装置を提供することを目的とする。
【０００８】
また、本発明は、軟Ｘ線照射部の汚れによる軟Ｘ線量の減少を良好に防止することができるとともに、軟Ｘ線により生成されたガスイオンを帯電体に有効に作用させて除電性能をより高めることができる軟Ｘ線を利用した除電装置を提供することを目的とする。
【０００９】
【課題を解決するための手段】
本発明は、かかる目的を達成するために、帯電体に軟Ｘ線を照射する軟Ｘ線照射部を有する軟Ｘ線照射装置を備え、前記軟Ｘ線により生成された正，負のガスイオンによって該帯電体に帯電した電荷を中和するようにした除電装置において、前記軟Ｘ線照射部を覆うようなガスの流れを形成するガス流形成手段を備え、該ガス流形成手段は、前記軟Ｘ線照射装置の周囲に設けられたガス流通路と、該ガス流通路に強制的にガスを供給するガス供給手段とを備え、該ガス流通路は、前記ガス供給手段によって供給されたガスが前記軟Ｘ線照射部を覆って流れ込むように形成され、該軟Ｘ線照射部の前方には、該軟Ｘ線照射部に流れ込んだガスが前記軟Ｘ線照射部から照射される軟Ｘ線の照射方向に向けて噴出されるガス噴出口が該ガス流通路に連通して形成されていることを特徴とする。
【００１１】
前記ガス流通路と前記ガス供給手段との間には、フィルタを設けるのが好ましい。この場合、該フィルタによる供給ガスの圧力損失が大きいときには、前記ガス供給手段によって前記ガス流通路に圧縮ガスを供給するとよい。
【００１２】
さらに、本発明は、前記ガス流通路の内部圧力を検知する圧力検知手段と、該圧力検知手段により検知される前記ガス流通路の内部圧力が所定値より低下した時、前記軟Ｘ線照射装置への通電を停止する通電停止手段とを備えたことを特徴とする。
【００１３】
さらに、本発明は、前記ガス噴出口の開口面積を調整する開口面積調整手段と、該ガス噴出口の開口面積に応じて前記ガス供給手段による前記ガス流通路へのガス供給量を調整するガス供給量調整手段とを備えたことを特徴とする。
【００１４】
この場合、前記ガス噴出口の開口面積を検知する開口面積検知手段を備え、前記ガス供給量調整手段が、該開口面積検知手段により検知される前記ガス噴出口の開口面積に応じて前記ガス供給手段によるガス流通路へのガス供給量を制御するのが好ましい。
【００１５】
さらに、本発明は、前記ガス噴出口から噴出されるガスの噴出方向を変化させる噴出方向可変手段を備えたことを特徴とする。
【００１６】
さらに、本発明は、前記噴出方向可変手段は、ガスの噴出方向を該噴出方向に対して直交する方向に変化させることを特徴とする。
【００１７】
さらに、本発明は、ガスの噴出方向を該噴出方向に対して直交する方向に変化させつつ該ガス噴出口を周方向に回動させることを特徴とする。
【００１８】
さらに、本発明は、前記帯電体の表面の所定箇所に複数個配置されて該帯電体の表面電位を検知する表面電位検知手段と、該表面電位検知手段により検知される帯電体の表面電位に応じて前記噴出方向可変手段を制御する噴出方向制御手段とを備え、該噴出方向制御手段は、前記複数の表面電位検知手段の内で最も高い表面電位が検知された帯電体の表面に向けてガスが噴出されるように前記噴出方向可変手段を制御することを特徴とする。
【００１９】
【作用】
本発明によれば、ガス供給手段によってガス流通路に供給されたガスを軟Ｘ線照射部を覆って流れ込むようにすることにより、軟Ｘ線照射部に塵埃等が付着しようとしても該軟Ｘ線照射部に流れ込んだガスによって該軟Ｘ線照射部に付着しようとする塵埃等が吹き飛ばされるので、従来のように該軟Ｘ線照射部の汚れによって軟Ｘ線が吸収されるのが回避され、良好なガスイオンの生成がなされる。更に、軟Ｘ線照射部を覆って流れ込んだガスをガス噴出口から軟Ｘ線の照射方向に向けて噴出させるので、塵埃等を吹き飛ばした後にガス噴出口から噴出するガス流が、帯電体と軟Ｘ線照射部との間の空間で生成されたガスイオンを帯電体まで移送して、該空間で生成されたガスイオンが該帯電体に有効に作用し、帯電体が良好に除電される。
【００２１】
ガス流通路とガス供給手段との間にフィルタを設けた場合には、軟Ｘ線照射部に清浄なガスを吹き付けることができるので、該軟Ｘ線照射部に塵埃等が付着するのをより効果的に防止することが可能となる。この場合、該フィルタによる供給ガスの圧力損失が大きいと、ガス噴出口から噴出されるガスの噴出圧力が低下するので、ガス流通路に所定の圧力の圧縮ガスを供給して該噴出圧力を調整する。
【００２２】
ところで、何らかの原因でガス供給手段からガス流通路内にガスが供給されなくなると、ガス流通路内の圧力は低下して外部の圧力と同一になり、外部の空気等がガス噴出口からガス流通路内に浸入してくる。この場合、装置の設置環境によっては外部の空気等に可燃性の溶剤ガスや粉体が含まれていることがあるので、軟Ｘ線照射装置への通電が継続されていると好ましくない。そこで、前記ガス流通路の内部圧力を圧力検知手段によって検知して、該内部圧力が所定値より低下した時に、通電停止手段によって軟Ｘ線照射装置への通電を停止する。
【００２３】
また、開口面積調整手段でガス噴出口の開口面積を調整することによって、帯電体に対するガスの吹きつけ範囲を調整する。この場合、ガス供給手段によってガス流通路に供給されるガス供給量が一定であると、該開口面積の大小によってガス噴出口から噴出されるガスの噴出圧力が異なり、ガス流の到達距離にばらつきが生じる。このため、ガス供給量調整手段で該開口面積に応じてガス流通路へのガス供給量を調整することによって、開口面積の大小にかかわらずガスの噴出圧力を一定にする。この場合、ガス噴出口の開口面積を検知する開口面積検知手段を備えて、ガス供給量調整手段が、該開口面積検知手段により検知される該開口面積に応じてガス供給手段によるガス流通路へのガス供給量を制御することによって、該開口面積に応じたガス供給量の調整を自動的に行うことが可能となる。
【００２４】
さらに、噴出方向可変手段によってガスの噴出方向を例えば該噴出方向と直交する方向に変化させることにより、帯電体に対するガスの吹き付け範囲を広くすることが可能となる。この場合、ガスの噴出方向を該噴出方向と直交する方向に変化させつつ該ガス噴出口を周方向に回動させるようにすると、帯電体に対するガスの吹き付け範囲をさらに広くすることが可能となる。
【００２５】
さらに、帯電体の表面の複数個所に表面電位検知手段を配置し、噴出方向制御手段によって、該複数の表面電位検知手段の内で最も高い表面電位が検知された帯電体の表面に向けてガスが噴出されるように前記噴出方向可変手段を制御することによって、帯電体の表面電位が高い箇所を局部的に効率よく除電することが可能となる。
【００２６】
【実施例】
以下、本発明の実施例を図１〜図３を参照して説明する。図１は本発明の実施の一例である軟Ｘ線を利用した除電装置の説明的断面図、図２は該除電装置と従来の除電装置との相違を説明するために用いる実験装置の概略図、図３は本発明の他の実施例を説明するための説明的断面図である。
【００２７】
かかる除電装置は、図１に示すように、その基本的構成として、帯電体１に向けて軟Ｘ線を照射する軟Ｘ線照射装置２と、該軟Ｘ線照射装置２を包囲して該軟Ｘ線照射装置２との間に空気流通路３を形成する外箱４とを備える。
【００２８】
軟Ｘ線照射装置２は、円筒状のケース５と、該ケース５内に設けられた軟Ｘ線管６とを備える。該ケース５の前端部（左端部）には、軟Ｘ線管６から照射される軟Ｘ線の照射窓７が形成されている。軟Ｘ線管６は、高電圧ケーブル８を介して外部電源９に接続されている。
【００２９】
外箱４は、略円筒状に形成されてその内部に軟Ｘ線照射装置２が略同心に配置されている。配置に際しては、外箱４と軟Ｘ線照射装置２の前後端部及び外周部との間に空気流通路３が形成されるようにして配置する。外箱４内の軟Ｘ線照射装置２の後端側には、送風ファン１０が設けられている。
【００３０】
該送風ファン１０は、上述した外部電源９に低電圧ケーブル１１を介して接続されている。該送風ファン１０の前後には、それぞれエアフィルタ１２及びプレフィルタ１３が送風ファン１０を挟むようにして配置されている。送風ファン１０が駆動されることにより、外部の空気がプレフィルタ１３を介して外箱４内に吸引され、吸引された空気はエアフィルタ１２を通って清浄化された後、空気流通路３に供給される。そして空気流通路３に供給された清浄な空気は、外箱４の前端壁部４ａと軟Ｘ線照射装置２の照射窓７との間に流れ込んで合流し、これにより、照射窓７の表面を覆うような空気の流れが形成される。また、外箱４の前端壁部４ａには、該前端壁部４ａと照射窓７との間に流れ込んだ空気が照射窓７から照射される軟Ｘ線の照射方向と同一方向に噴出される空気噴出口１４が形成されている。
【００３１】
かかる除電装置においては、空気流通路３に供給された清浄な空気を外箱４の前端壁部４ａと照射窓７との間に流れ込ませて照射窓７の表面を覆うような空気の流れを形成しているので、照射窓７の表面に空気中の塵埃等が付着しようとしても、該空気の流れによって吹き飛ばされる。このため、照射窓７の表面に該塵埃等による汚れが発生するのが良好に防止され、従来のように照射窓７の汚れによって軟Ｘ線が吸収されることなく、該軟Ｘ線の線量が良好に維持される。
【００３２】
また、該塵埃等を吹き飛ばした後の空気流は、空気噴出口１４から軟Ｘ線の照射方向と同一方向に噴出されるので、帯電体１と照射窓７との間の空間で生成された空気イオンが該空気流によって帯電体１まで移送される。
【００３３】
上記記載から明らかなように、本実施例の除電装置においては、従来のように照射窓７の汚れによって軟Ｘ線が吸収されることなく、照射窓７から照射される軟Ｘ線の線量が良好に維持されるため、軟Ｘ線が帯電体に到達した位置で良好な正，負の空気イオンの生成がなされ、しかも、空気噴出口１４から噴出された空気流によって帯電体１と照射窓７との間の空間で生成された空気イオンが帯電体１まで移送されるので、該帯電体１に対しては、軟Ｘ線が該帯電体１に到達した位置で良好に生成された空気イオンに加えて、帯電体１の手前側の空間で生成された空気イオンを有効に作用させることができる。従って、これらの空気イオンによって帯電体１の電荷が良好に中和されて帯電体１の除電が効果的に行われ、除電装置の除電性能を大幅に向上させることができる。
【００３４】
次に、本実施例の除電装置と従来の除電装置との相違を明確にするために図２を参照してさらに詳述する。図２において符号１５は、１５０ｍｍ×１５０ｍｍの帯電プレート１６（静電容量２０ｐＦ±２ｐＦ）を有する帯電プレートモニターであり、帯電プレート１６から１ｍ離間した位置には本実施例の除電装置の空気噴出口１４が対向配置されている。ここで、空気噴出口１４から吹き出される空気の噴出量を２．５ｍ3 ／ｍｉｎとする。
【００３５】
そして、帯電プレート１６に＋５ｋＶ（又は−５ｋＶ）の電圧を印加して帯電させ、この状態で軟Ｘ線照射装置２から軟Ｘ線を帯電プレート１６に向けて照射すると共に、送風ファン１０により空気噴出口１４から空気流を噴出させて帯電プレート１６に吹き付け、帯電プレート１６の電圧が＋５００Ｖ（又は−５００Ｖ）に減衰するまでに要する時間（ｓｅｃ）を測定した。また、従来の除電装置については、送風ファン１０を停止して帯電プレート１６への軟Ｘ線の照射のみで代用して測定を行った。
【００３６】
測定の結果、従来の除電装置では、＋５ｋＶから＋５００Ｖに減衰するまでの時間が７ｓｅｃ、−５ｋＶから−５００Ｖに減衰するまでの時間が８ｓｅｃであった。これに対し、本実施例の除電装置では、＋５ｋＶから＋５００Ｖに減衰するまでの時間が５ｓｅｃ、−５ｋＶから−５００Ｖに減衰するまでの時間が５ｓｅｃとなり除電性能が大幅に向上した。
【００３７】
本発明は、上記実施例に限定されるものではなく、本発明の要旨を逸脱しない範囲において適宜変更可能である。例えば、上記実施例で、エアフィルタ１２を設けて清浄な空気を空気流通路３内に供給しているが、空気のクリーン度がそれほど要求されない場合には、該エアフィルタ１２を省略してもよい。
【００３８】
また、エアフィルタ１２として塵埃等の除去性能が高いＨＥＰＡフィルタやＵＬＰＡフィルタを用いる場合には、これらのフィルタは圧力損失が大きいため、空気噴出口１４から噴出される空気の噴出圧が低下して該空気が帯電体１に届かない虞れがある。従って、この場合は、図３に示すように、送風ファン１０による空気の供給に代えて、外箱４の後端部に空気圧縮機１７から所定の圧力の圧縮空気を供給して空気噴出口１４から噴出される空気の噴出圧を調整する。
【００３９】
さらに、図４は、外箱４に導管１８の一端を空気流通路３に連通させて接続し、該導管１８の他端に圧力スイッチ１９を取り付けたものである。圧力スイッチ１９と外部電源９との間にはリード線２０が介在されている。そして、圧力スイッチ１９は、空気流通路３内の圧力が設定値より低下した時に、リード線２０を介して外部電源９を停止して軟Ｘ線照射装置２への通電を停止する。
【００４０】
このようにすると、外部の空気に可燃性の溶剤ガスや粉体が含まれている環境で使用するのに適した装置となる。
【００４１】
すなわち、何らかの原因で送風ファン１０（又は空気圧縮機１７）から空気流通路３内に空気が供給されなくなると、空気流通路３内の圧力が低下して外部の圧力と同一になる。この場合、可燃性の溶剤ガスや粉体が含まれた外部の空気が空気噴出口１４から空気流通路３内に浸入してくる。このような場合に、前記設定値を外部の圧力に設定することにより、圧力スイッチ１９がリード線２０を介して外部電源９を停止し、軟Ｘ線照射装置２への通電を停止する。
【００４２】
次に、空気噴出口１４の変形例を図５を参照して説明する。図５は、外箱４の前端部に、空気噴出口１４に代えて、複数のシャッタ羽根２１から構成される絞りシャッタ装置２２を取り付けたものである。シャッタ羽根２１は、１０ｋｅＶまでの軟Ｘ線を遮蔽する材質からなる。絞りシャッタ装置２２は、その開口部が空気噴出口２３とされている。空気流通路３に供給された空気が照射窓７の表面を覆うような流れが形成した後、該空気噴出口２３から軟Ｘ線の照射方向に空気が噴出される。また、絞りシャッタ装置２２は、図示しない駆動手段によって空気噴出口２３の絞り、すなわち開口面積が調整されるようになっており、該駆動手段は駆動ケーブル２４を介して外部電源９に接続されている。
【００４３】
そして、駆動手段で空気噴出口２３の開口面積を調整することによって、該帯電体１に対する空気の吹きつけ範囲を調整する。これにより、帯電体１と照射窓７との間で生成された空気イオンを帯電体１に作用させる範囲を帯電体１の大きさ等に応じて調整することができる。この時、送風ファン１０（又は空気圧縮機１７）によって空気流通路３に供給される空気供給量が一定であると、該開口面積の大小によって空気噴出口２３から噴出される空気の噴出圧力が異なり、空気流の到達距離にばらつきが生じる。このため、該開口面積に応じて空気流通路３への空気供給量を調整して該開口面積の大小にかかわらず空気噴出口２３から噴出される空気の噴出圧力を一定にする必要がある。
【００４４】
そこで、空気噴出口２３の開口面積を絞りシャッタ装置２２に内蔵された図示しない開口面積検知センサで検知して、該検知信号を外部電源９に内蔵された空気供給量調整手段２５に出力し、該空気供給量調整手段２５が該検知信号に応じて送風ファン１０（又は空気圧縮機１７）への駆動電流を制御する。これにより、空気噴出口２３の開口面積に応じて送風ファン１０（又は空気圧縮機１７）から空気流通路３に供給される空気供給量が自動的に調整されて空気噴出口２３から噴出される空気の噴出圧力が一定にされる。
【００４５】
また、図６は空気噴出口１４の他の変形例を示すものである。図６は、外箱４の前端部に、空気噴出口１４に代えて、ルーバ装置２６を取り付けたものである。
【００４６】
ルーバ装置２６は、外箱４の前端部外周部に回動可能に装着された回動リング２７と、該回動リング２７の径方向に沿って等間隔で横架された複数のルーバ羽根２８とを備える。回転リング２７は、１０ｋｅＶまでの軟Ｘ線を遮蔽する材質からなり、図示しない駆動手段によって±１８０°の回転駆動がなされる。この回転駆動はルーバ羽根２８と一体となってなされる。ルーバ羽根２８は、軟Ｘ線を透過可能な材質からなり、各ルーバ羽根２８の間が空気噴出口２９とされている。空気流通路３に供給された空気は、照射窓７の表面を覆うような流れを形成した後、該空気噴出口２３から軟Ｘ線の照射方向に噴出される。また、各ルーバ羽根２８は、回転リング２７と同様に図示しない駆動手段によって図６において矢印ａ，ｂ方向に揺動される。該ルーバ羽根２８の揺動により空気噴出口２９から噴出される空気の噴出方向が外箱４の軸線に対して直交する方向に変化しつつ回転リング２７の回転により周方向に変化することにより、帯電体１に対する空気の吹きけ範囲、すなわち帯電体１と照射窓７との間で生成された空気イオンを帯電体１に作用させる範囲を広くしている。尚、図６において符号３０は、回転リング２７及びルーバ羽根２８の駆動手段と外部電源９との間に介在される接続ケーブルである。
【００４７】
さらに、図７及び図８に示すように、回転リング２７の回転角度及びルーバ羽根２８の揺動角度を制御して帯電体１の表面の所定の位置に空気を吹き付けることにより、該帯電体１の所定の位置を局部的に除電することができる。図７は連続搬送される樹脂フィルム１ａ（帯電体）の上方に図６に示す除電装置を配置した状態の平面図、図８は図７の左側面図である。
【００４８】
すなわち、図７に示すように、該除電装置は、空気噴出口２９を該樹脂フィルム１ａの表面に向けて配置されている。該除電装置より上流側（右側）の樹脂フィルム１ａの表面には、樹脂フィルム１ａの表面電位を測定する表面電位計センサ３１ａ，３１ｂ，３１ｃが該樹脂フィルム１ａの幅方向に等間隔で配置されている。各表面電位計センサ３１ａ，３１ｂ，３１ｃによって検知された電位は電位比較演算手段３２によって比較演算されて最も高い電位の位置が決定され、該位置信号に基づいてルーバ制御手段３３がルーバ装置２６の回転リング２７の回転角度及びルーバ羽根２８の揺動角度を制御して、空気噴出口２９を樹脂フィルム１ａの最も高い電位が検知された表面電位計センサ（本実施例では３１ａ）の位置に相当する部分に向ける（図８参照）。これにより、樹脂フィルム１ａの最も高い電位の部位に帯電体１と照射窓７との間で生成された空気イオンを局部的に効率よく作用させることができる。尚、この場合、帯電体の表面電位の大小に応じて空気圧縮機１７（又は送風ファン１０）の駆動電流を制御して空気噴出量を調整することも勿論可能である。
【００４９】
さらに、図９は、間欠的に搬送される円形のプラスチック成形品１ｂ（帯電体）の上方に図６に示す除電装置を配置した状態を示す平面図である。
【００５０】
この場合、除電装置は、樹脂フィルム１ａの場合と同様に、空気噴出口２９を該プラスチック成形品１ｂの表面に向けて配置される。また、該除電装置より上流側（右側）のプラスチック成形品１ｂの表面には、周方向に等間隔で４か所、中央部に１か所の合計５個の表面電位計センサ３４ａ〜３４ｅが配置される。各表面電位計センサ３４ａ〜３４ｅによって検知された電位は、上記同様に、電位比較演算手段３２によって比較演算されて最も高い電位の位置が決定され、該位置信号に基づいてルーバ制御手段３３がルーバ装置２６の回転リング２７の回転角度及びルーバ羽根２８の揺動角度を制御して、空気噴出口２９をプラスチック成形品１ｂの最も高い電位が検知された表面電位計センサ（本実施例では３４ａ）の位置に相当する部分に向ける。
【００５１】
尚、以上の実施例ではガスとして最も一般的な空気の場合について説明したが、空気の他に窒素ガスやヘリウム等の不活性ガス等を用いることができる。また、帯電体は空気中に存在し、送風ガスに窒素ガスを用いる場合のように、雰囲気のガスと異なるガスを送風に用いることもできる。
【００５２】
【発明の効果】
上記の説明から明らかなように、本発明によれば、軟Ｘ線照射部の汚れによって軟Ｘ線が吸収されることなく該軟Ｘ線の線量が良好に維持されるので、帯電体の静電気を良好に除電することができる除電性能の高い装置を提供することができる。
【００５３】
また、ガス供給手段によってガス流通路に供給されたガスを軟Ｘ線照射部を覆って流れ込むようにすると共に、該流れ込んだガスをガス噴出口から軟Ｘ線の照射方向に噴出させるようにした場合には、帯電体に対して、該軟Ｘ線が帯電体に到達した位置で良好に生成されたガスイオンの他に、従来、帯電体の除電に効果が少なかった軟Ｘ線照射部近傍で生成された高密度なガスイオンを有効に作用させることができるので、帯電体の除電がより効果的に行われて除電装置の除電性能を大幅に向上させることができる。
【００５４】
さらに、ガス流通路とガス供給手段との間にフィルタを設けた場合には、軟Ｘ線照射部に清浄なガスを吹き付けることができるので、該軟Ｘ線照射部に塵埃等による汚れが発生するのを効果的に防止することができる。該フィルタによる供給ガスの圧力損失が大きい場合には、ガス流通路に所定の圧力の圧縮ガスを供給することにより、ガス噴出口から噴出されるガスの噴出圧の低下を防止することができる。
【００５５】
さらに、ガス流通路の内部圧力を検知する圧力検知手段と、該圧力検知手段により検知されるガス流通路の内部圧力が所定値より低下した時、軟Ｘ線照射装置への通電を停止する通電停止手段とを備えることによって、外部の空気等に可燃性の溶剤ガスや粉体が含まれている環境で使用するのに適した装置を提供することができる。
【００５６】
さらに、開口面積調整手段でガス噴出口の開口面積を調整すると共に、ガス供給量調整手段で該開口面積に応じてガス流通路へのガス供給量を調整することによって、開口面積の大小にかかわらずガスの噴出圧力を一定に維持した状態で帯電体に対するガスの吹きつけ範囲を調整できるので、帯電体と軟Ｘ線照射部との間で生成されたガスイオンを帯電体に作用させる範囲の調整を帯電体の大きさ等に応じて良好に行うことができる。この場合、ガス噴出口の開口面積を検知する開口面積検知手段を備えて、ガス供給量調整手段が、該開口面積検知手段により検知される該開口面積に応じてガス供給量を制御することによって、該開口面積に応じたガス供給量の調整の自動化が図れる。
【００５７】
さらに、噴出方向可変手段によってガスの噴出方向を該噴出方向と直交する方向に変化させることにより、帯電体に対するガスの吹き付け範囲を広くすることができるので、該帯電体の広い範囲に正負のガスイオンを良好に作用させることができる。この場合、ガスの噴出方向を該噴出方向と直交する方向に変化させつつ該ガス噴出口を周方向に回動させるようにすると、該帯電体のより広い範囲に正負のガスイオンを良好に作用させることができる。
【００５８】
さらに、帯電体の表面の複数個所に表面電位検知手段を配置し、噴出方向制御手段によって、該複数の表面電位検知手段の内で最も高い表面電位が検知される前記帯電体の表面に向けてガスが噴出されるように前記噴出方向可変手段を制御することによって、帯電体の表面電位が高い箇所を局所的に効率よく除電することができる。
【図面の簡単な説明】
【図１】本発明の実施の一例である軟Ｘ線を利用した除電装置の説明的断面図である。
【図２】本実施例の装置と従来の装置との比較を説明するために用いる実験装置の概略図である。
【図３】本発明の他の実施例を説明するための説明的断面図である。
【図４】本発明の他の実施例を説明するための説明的断面図である。
【図５】空気噴出口の変形例を説明するための説明的断面図である。
【図６】空気噴出口の他の変形例を説明するための説明的断面図である。
【図７】図６に示す装置の好適な使用例を説明するための平面図である。
【図８】図７の左側面図である。
【図９】図６に示す装置の他の好適な使用例を説明するための平面図である。
【符号の説明】
１…帯電体、２…軟Ｘ線照射装置、３…空気流通路、４…外箱、７…照射窓、１０…送風ファン、１２…エアフィルタ、１４，２３，２９…空気噴出口、１７…空気圧縮機、１９…圧力スイッチ、２２…絞りシャッタ装置、２５…空気供給量調整手段、２６…ルーバ装置、２８…ルーバ羽根、２７…回転リング、３１ａ〜３１ｃ，３４ａ〜３４ｅ……表面電位計センサ、３２…電位比較演算手段、３３…ルーバ制御手段
【図１】
0003696904.tif 000002
【図２】
0003696904.tif 000003
【図３】
0003696904.tif 000004
【図４】
0003696904.tif 000005
【図５】
0003696904.tif 000006
【図６】
0003696904.tif 000007
【図７】
0003696904.tif 000008
【図８】
0003696904.tif 000009
【図９】
0003696904.tif 000010